(57)【要約】  【課題】ＬＥＤの輝度のばらつきを補償するための回路や部品を設けずに、所望の輝度プロフィールが得られる液晶表示装置を提供する。  【解決手段】液晶表示パネル３の辺に沿ってライン状に６つのバックライト用ＬＥＤ１ａ〜１ｆが略等間隔Ｄで配置される。辺の中央部には輝度のランクが「高」のＬＥＤ１ｃ，１ｄが配置され、中間部にはランクが「中」のＬＥＤ１ｂ，１ｅが配置され、端部側にはランクが「低」のＬＥＤ１ａ，１ｆが配置される。また、ＬＥＤ１ａ〜１ｆには同じ大きさの電流が流される。この結果、液晶表示パネル３の画面の輝度は中央部で高くなり、周縁部に向かうにしたがって低下してゆくので、画像表示用の液晶表示装置で所望の輝度プロフィールが得られる。【選択図】  図２
2006267780.tif 000002
【特許請求の範囲】
【請求項１】
液晶表示パネルの背面に導光板を設け、導光板の側面にライン状に配置した複数の発光ダイオードで液晶表示パネルの背面を照明する液晶表示装置において、
前記導光板の側面の中央部に配置された輝度のランクが相対的に高い発光ダイオードと、端部側に配置された輝度のランクが相対的に低い発光ダイオードとを備え、
各発光ダイオードが略等間隔で配置されると共に、各発光ダイオードには同じ大きさの電流が流されることを特徴とする液晶表示装置。
【請求項２】
液晶表示パネルの背面に導光板を設け、導光板の側面にライン状に配置した複数の発光ダイオードで液晶表示パネルの背面を照明する液晶表示装置において、
前記導光板の側面の中央部に配置された輝度のランクが相対的に高い発光ダイオードと、端部側に配置された輝度のランクが相対的に低い発光ダイオードとを備え、
各発光ダイオードには同じ大きさの電流が流され、
前記輝度の高い発光ダイオード同士は、前記液晶表示パネルの背面が均一に照明されるように、前記輝度の高い発光ダイオードと前記輝度の低い発光ダイオードとの間隔よりも広い間隔で配置されることを特徴とする液晶表示装置。
【請求項３】
液晶表示パネルの背面に導光板を設け、導光板の側面にライン状に配置した複数の発光ダイオードで液晶表示パネルの背面を照明する液晶表示装置において、
前記複数の発光ダイオードは、輝度のランクが相対的に高い複数の発光ダイオードと輝度のランクが相対的に低い複数の発光ダイオードとからなり、
各発光ダイオードには同じ大きさの電流が流され、
各隣り合う発光ダイオードは、前記液晶表示パネルの背面が均一に照明されるように、各隣り合う発光ダイオードの輝度が高くなるにしたがって狭くなる間隔で配置されることを特徴とする液晶表示装置。
【請求項４】
液晶表示パネルの背面に拡散板を設け、拡散板の背面に二次元状に配置した複数の発光ダイオードで液晶表示パネルの背面を照明する液晶表示装置において、
二次元平面の中央部に配置された輝度のランクが相対的に高い発光ダイオードと、周縁部側に配置された輝度のランクが相対的に低い発光ダイオードとを備え、
各発光ダイオードが略等間隔で二次元平面上に配置されると共に、各発光ダイオードには同じ大きさの電流が流されることを特徴とする液晶表示装置。
【請求項５】
液晶表示パネルの背面に拡散板を設け、拡散板の背面に二次元状に配置した複数の発光ダイオードで液晶表示パネルの背面を照明する液晶表示装置において、
前記複数の発光ダイオードは、輝度のランクが相対的に高い複数の発光ダイオードと輝度のランクが相対的に低い複数の発光ダイオードとからなり、
各発光ダイオードには同じ大きさの電流が流され、
各隣り合う発光ダイオードは、前記液晶表示パネルの背面が均一に照明されるように、各隣り合う発光ダイオードの輝度が高くなるにしたがって狭くなる間隔で二次元平面上に配置されることを特徴とする液晶表示装置。
【発明の詳細な説明】
【技術分野】
【０００１】
本発明は、バックライトの光源に発光ダイオードを用いた液晶表示装置に関する。
【背景技術】
【０００２】
液晶表示装置では、液晶表示パネルの背面全体が面状光源装置からのバックライトで照明される。携帯電話機やノート型パーソナルコンピュータなどでは、省電力化および薄型化を計るべく、発光ダイドオード（以下、ＬＥＤという）を光源とするサイドライト方式の液晶表示装置が用いられる。
【０００３】
図１は、サイドライト方式の液晶表示装置の構成を示す。（ａ）は液晶表示装置の画面側から見たものであり、（ｂ）は側面から見たものである。液晶表示装置は、液晶表示パネル３と面状光源装置１０とから構成される。面状光源装置１０は、ＬＥＤ１、リフレクタ２、拡散板４、導光板５、および反射シート６から構成される。ＬＥＤ１からの光は直接またはリフレクタ２で反射して導光板５の側面に入射する。導光板５に入射した光は導光板５の中を反射しながら伝播し、上面または下面から出射する。下面から出射した光は反射シート６で反射して再び導光板５に入射する。そして、導光板５の上面から出射した光が拡散板６で拡散され、この光（バックライト）で液晶表示パネル３の背面全体が照明される。
【０００４】
ところで、製造されたＬＥＤには、型式が同じであっても輝度（あるいは光度）の高いものや低いものがある。多くの場合、ユーザが輝度の揃ったＬＥＤを求めることから、ＬＥＤ製造者はＬＥＤを輝度に応じてランク分けし、ユーザが指定したランクのＬＥＤを出荷するようにしている。しかし、ランクを指定すると、ランクを指定しないときに比べてＬＥＤの購入価格が高くなってしまう。一方、ランクを指定しないで購入したＬＥＤを光源として使用すると、液晶表示パネルの背面で照度むらが生じ、液晶表示パネルの画面に輝度むらが生じる。すなわち、液晶表示装置で所望の輝度プロフィールが得られない。
【０００５】
そこで、ＬＥＤの輝度のばらつきを補償するために、ＬＥＤごとに直列または並列に可変抵抗器を接続し、可変抵抗器の抵抗値を調整することにより、液晶表示パネルの背面の照度を均一化することが提案されている（例えば特許文献１）。また、同様の目的で、ＬＥＤごとに印加電圧を制御したり、オン／オフ時間のデューティ比を制御したりすることにより、照度を均一化することも提案されている（例えば特許文献２）。直下ライト方式に関するものであるが、下記の特許文献３には、テレビ受像機用の液晶表示装置では画面の中央部で輝度を高くし、周縁部で低くすること、およびコンピュータのモニタ用のものでは画面の輝度を平坦化（均一化）することが示されている。
【特許文献１】特開２００４−０２９３７０号公報（要約、図１〜図３）
【特許文献２】特開２００４−３０９５１０号公報（要約、請求項１、２、段落０００２〜０００５）
【特許文献３】特開２００４−３４９２５１号公報（要約、段落００１４）
【発明の開示】
【発明が解決しようとする課題】
【０００６】
しかしながら、上記特許文献１，２に示されるものにおいては、可変抵抗器や印加電圧制御回路、デューティ比制御回路などを設ける必要があるため、製造コストが上昇してしまう。また、特許文献１に示されるものにおいては、可変抵抗器の調整に手間がかかるという問題もある。特許文献２に示されるものにおいては、液晶表示パネルの前面に輝度計（あるいは光度計）を配置し、輝度計の計測値から印加電圧などの制御用データを自動生成することも可能であるが、それなりの手間がかかる。
【０００７】
本発明は、上記問題点を解決するものであって、その課題とするところは、発光ダイオードの輝度のばらつきを補償するための回路や部品を設けずに、所望の輝度プロフィールが得られる液晶表示装置を提供することにある。
【課題を解決するための手段】
【０００８】
第１の本発明に係る液晶表示装置は、液晶表示パネルの背面に導光板を設け、導光板の側面にライン状に配置した複数の発光ダイオードで液晶表示パネルの背面を照明する液晶表示装置において、導光板の側面の中央部に配置された輝度のランクが相対的に高い発光ダイオードと、端部側に配置された輝度のランクが相対的に低い発光ダイオードとを備える。そして、各発光ダイオードが略等間隔で配置されると共に、各発光ダイオードには同じ大きさの電流が流される。
【０００９】
このようにすることで、輝度のランクが異なる発光ダイオードを混用し、しかも各発光ダイオードに同じ大きさの電流を流しても、液晶表示パネルの背面の照度が中央部では高くなり、周縁部に向かうにしたがって低下していき、液晶表示パネルの画面の輝度も中央部では高くなり、周縁部に向かうにしたがって低下していく。これにより、画像表示用の液晶表示装置において、所望の輝度プロフィールを得ることができる。また、輝度のランクが異なる発光ダイオードを混用する、すなわち各ランクの発光ダイオードを有効利用するので、特定のランクを指定して発光ダイオードを購入する必要がなくなり、発光ダイオードの購入コストを下げることができる。さらに、特許文献１、２に示される可変抵抗器や印加電圧制御回路などを設ける必要がないので、製造コストの上昇を抑えることができる。また、印加電圧制御回路などが存在しないので、消費電力の上昇も抑えることができる。
【００１０】
第２の本発明に係る液晶表示装置は、液晶表示パネルの背面に導光板を設け、導光板の側面にライン状に配置した複数の発光ダイオードで液晶表示パネルの背面を照明する液晶表示装置において、導光板の側面の中央部に配置された輝度のランクが相対的に高い発光ダイオードと、端部側に配置された輝度のランクが相対的に低い発光ダイオードとを備える。そして、各発光ダイオードには同じ大きさの電流が流され、上記輝度の高い発光ダイオード同士は、液晶表示パネルの背面が均一に照明されるように、上記輝度の高い発光ダイオードと上記輝度の低い発光ダイオードとの間隔よりも広い間隔で配置される。
【００１１】
このようにすることで、輝度のランクが異なる発光ダイオードを混用し、しかも各発光ダイオードに同じ大きさの電流を流しても、液晶表示パネルの背面の照度が均一になり、液晶表示パネルの画面の輝度も均一になる。これにより、テキスト表示用の液晶表示装置において、所望の輝度プロフィールを得ることができる。また、輝度のランクが異なる発光ダイオードを混用する、すなわち各ランクの発光ダイオードを有効利用するので、特定のランクを指定して発光ダイオードを購入する必要がなくなり、発光ダイオードの購入コストを下げることができる。さらに、特許文献１、２に示される可変抵抗器や印加電圧制御回路などを設ける必要がないので、製造コストの上昇を抑えることができる。また、印加電圧制御回路などが存在しないので、消費電力の上昇も抑えることができる。
【００１２】
第３の本発明に係る液晶表示装置では、液晶表示パネルの背面に導光板を設け、導光板の側面にライン状に配置した複数の発光ダイオードで液晶表示パネルの背面を照明する液晶表示装置において、複数の発光ダイオードは、輝度のランクが相対的に高い複数の発光ダイオードと輝度のランクが相対的に低い複数の発光ダイオードとからなり、各発光ダイオードには同じ大きさの電流が流され、各隣り合う発光ダイオードは、液晶表示パネルの背面が均一に照明されるように、各隣り合う発光ダイオードの輝度が高くなるにしたがって狭くなる間隔で配置される。
【００１３】
このようにすることで、輝度のランクが異なる発光ダイオードを混用し、しかも各発光ダイオードに同じ大きさの電流を流しても、液晶表示パネルの背面の照度が均一になり、液晶表示パネルの画面の輝度も均一になる。これにより、テキスト表示用の液晶表示装置において、第２の発明の効果と同様の効果を得ることができる。
【００１４】
第４の本発明に係る液晶表示装置は、液晶表示パネルの背面に拡散板を設け、拡散板の背面に二次元状に配置した複数の発光ダイオードで液晶表示パネルの背面を照明する液晶表示装置において、二次元平面の中央部に配置された輝度のランクが相対的に高い発光ダイオードと、周縁部側に配置された輝度のランクが相対的に低い発光ダイオードとを備える。そして、各発光ダイオードが略等間隔で二次元平面上に配置されると共に、各発光ダイオードには同じ大きさの電流が流される。
【００１５】
このようにすることで、輝度のランクが異なる発光ダイオードを混用し、しかも各発光ダイオードに同じ大きさの電流を流しても、液晶表示パネルの背面の照度が中央部では高くなり、周縁部に向かうにしたがって低下していき、液晶表示パネルの画面の輝度も中央部では高くなり、周縁部に向かうにしたがって低下していく。これにより、画像表示用の液晶表示装置において、第１の発明の効果と同様の効果を得ることができる。
【００１６】
第５の本発明に係る液晶表示装置では、液晶表示パネルの背面に拡散板を設け、拡散板の背面に二次元状に配置した複数の発光ダイオードで液晶表示パネルの背面を照明する液晶表示装置において、複数の発光ダイオードは、輝度のランクが相対的に高い複数の発光ダイオードと輝度のランクが相対的に低い複数の発光ダイオードとからなり、各発光ダイオードには同じ大きさの電流が流され、各隣り合う発光ダイオードは、液晶表示パネルの背面が均一に照明されるように、各隣り合う発光ダイオードの輝度が高くなるにしたがって狭くなる間隔で二次元平面上に配置される。
【００１７】
このようにすることで、輝度のランクが異なる発光ダイオードを混用し、しかも各発光ダイオードに同じ大きさの電流を流しても、液晶表示パネルの背面の照度が均一になり、液晶表示パネルの画面の輝度も均一になる。これにより、テキスト表示用の液晶表示装置において、第２の発明の効果と同様の効果を得ることができる。
【発明の効果】
【００１８】
本発明によれば、発光ダイオードの輝度のばらつきを補償するための回路や部品を設けなくても、画像表示用の液晶表示装置またはテキスト表示用の液晶表示装置において、所望の輝度プロフィールを得ることができる。
【発明を実施するための最良の形態】
【００１９】
以下、図面を参照しつつ本発明の実施形態について説明する。本発明に係るサイドライト方式の液晶表示装置は、図１に示すように、液晶表示パネル３と面状光源装置１０とから構成され、上述のように液晶表示パネル３の背面全体がバックライトで照明される。液晶表示装置には、テレビジョン受像機やデジタルカメラのモニタなどのように主に画像を表示するもの（以下、画像表示用の液晶表示装置という）と、パーソナルコンピュータのモニタや電子辞書の表示部のように主にテキストを表示するもの（以下、テキスト表示用の液晶表示装置という）とがある。画像表示用の液晶表示装置では、画面の中央部の画像が重視されるので、中央部の輝度が高く、周縁部の輝度が低くなるようにする。それに対し、テキスト表示用の液晶表示装置では、画面全体で輝度が均一（輝度の分布特性が平坦）になるようにする。画面の輝度を上述のようにするためには、画面の輝度に合わせて液晶表示パネル３の背面全体を照明するする必要がある。
【００２０】
図２は、画像表示用の液晶表示装置の発光ダイオード（以下、ＬＥＤという）の配置を示す図であり、液晶表示装置の画面側から見たものである。但し、リフレクタ２（図１）の図示は省略している。この液晶表示パネル３は小型のものであり、６つの白色のＬＥＤ１が液晶表示パネル３の辺（実際には導光板５の側面（図１（ｂ））であり、後述の図４、図５でも同様である）に沿ってライン状に略等間隔Ｄ（例えば１ｃｍ間隔）で配置されている。ＬＥＤ１のうち、ＬＥＤ１ｃ，１ｄは上述の輝度のランクが「高」のものであり、ＬＥＤ１ｂ，１ｅは「中」のものであり、ＬＥＤ１ａ，１ｆは「低」のものである。図２および以降の図面では、白抜きの矩形で高輝度（輝度のランクが「高」）のＬＥＤを表し、ハッチング付きの矩形で中輝度のＬＥＤを表し、黒塗りの矩形で低輝度のＬＥＤを表している。尚、ＬＥＤ１の輝度の高低は相対的なものであるので、中輝度のＬＥＤ１ｂ，１ｅは、高輝度のＬＥＤ１ｃ，１ｄを基準とすると低輝度であり、低輝度のＬＥＤ１ａ，１ｆを基準とすると高輝度であるといえる。
【００２１】
図３は、上記のＬＥＤ１の駆動回路の構成例を示す。定電流回路１１は、不図示の制御部からの制御信号に応じて、オン／オフする。定電流回路１１がオンすると、直列に接続されたＬＥＤ１ａ〜１ｆおよび抵抗１２に一定の電流が電源から供給され、ＬＥＤ１ａ〜１ｆが点灯する。また、定電流回路１１は、フィードバックされる抵抗１２の電圧を監視することにより、ＬＥＤ１ａ〜１ｆに流れる電流が所定の値になるように制御している。ここでは６つのＬＥＤ１ａ〜１ｆを直列に接続しているが、ＬＥＤの個数が多い場合などには、ＬＥＤを複数の系列に分けて点灯させるようにする。また、定電流回路１１を構成する部品の値を変えることにより、ＬＥＤ１の輝度を全体的に高く、または低くすることもできる。
【００２２】
上記のように、液晶表示パネル３の辺の中央部に高輝度のＬＥＤ１ｃ，１ｄを、中間部に中輝度のＬＥＤ１ｂ，１ｅを、そして端部側に低輝度のＬＥＤ１ａ，１ｆを略等間隔Ｄで配置し、しかもＬＥＤ１ａ〜１ｆに同じ大きさの電流が流れるようにしているので、輝度ランクが異なるＬＥＤ１を混用しても、液晶表示パネル３の背面の照度は、中央部では高くなり、周縁部に向かうにしたがって低下していく。この結果、液晶表示パネル３の画面の輝度も、中央部では高くなり、周縁部に向かうにしたがって低下していく。すなわち、画像表示用の液晶表示装置において、所望の輝度プロフィールが得られる。さらに、特許文献１、２に示される可変抵抗器や印加電圧制御回路などが不要であるので、製造コストの上昇が抑えられる。また、印加電圧制御回路などが存在しないので、消費電力の上昇も抑えられる。
【００２３】
図４はテキスト表示用の液晶表示装置のＬＥＤの配置を示す。６つの白色のＬＥＤ１が液晶表示パネル３の辺に沿ってライン状に配置されている。ＬＥＤ１のうち、ＬＥＤ１ｉ，１ｊは上述の輝度のランクが「高」のものであり、ＬＥＤ１ｈ，１ｋは「中」のものであり、ＬＥＤ１ｇ，１ｍは「低」のものである。また、Ｄ１は高輝度のＬＥＤ１ｉ，１ｊの間隔、Ｄ２は高輝度のＬＥＤ１ｉ（または１ｊ）と中輝度のＬＥＤ１ｈ（または１ｋ）との間隔、Ｄ３は中輝度のＬＥＤ１ｈ（または１ｋ）と低輝度のＬＥＤ１ｇ（または１ｍ）との間隔であり、Ｄ１＞Ｄ２＞Ｄ３である。つまり、液晶表示パネル３の背面全体での照度が均一になるように、導光板５（図１（ｂ））の光の伝播特性なども考慮し、各ＬＥＤ１の輝度に合わせて間隔Ｄ１〜Ｄ３および各ＬＥＤ１の配置が決められている。例えば、間隔Ｄ１〜Ｄ３の両端の２つのＬＥＤ１の輝度が大きくなるにしたがって、間隔Ｄ１〜Ｄ３が小さくなるようにする。尚、図２と図４とではＬＥＤ１の配置が異なるので、液晶表示パネル３の背面でバックライトの照度むらが生じないように、それぞれの配置に適した導光板５が使用される。
【００２４】
上記のように、液晶表示パネル３の辺の中央部に高輝度のＬＥＤ１ｉ，１ｊを配置し、中間部に中輝度のＬＥＤ１ｈ，１ｋを配置し、端部側に低輝度のＬＥＤ１ｇ，１ｍを配置し、間隔Ｄ１〜Ｄ３を上記のように決め、しかもＬＥＤ１ｇ〜１ｍに同じ大きさの電流が流れるようにしているので、輝度のランクが異なるＬＥＤ１を混用しても、液晶表示パネル３の背面の照度が均一になり、画面全体の輝度を略均一にすることができる。すなわち、テキスト表示用の液晶表示装置において、所望の輝度プロフィールが得られる。さらに、特許文献１、２に示される可変抵抗器や印加電圧制御回路などが不要であるので、製造コストの上昇が抑えられる。また、印加電圧制御回路などが存在しないので、消費電力の上昇も抑えられる。
【００２５】
図４では中央部に高輝度のＬＥＤ１ｉ，１ｊを配置したが、図５に示すように、中央部に低輝度のＬＥＤ１ｑ，１ｒを配置し、中間部に中輝度のＬＥＤ１ｐ，１ｓを配置し、端部側に高輝度のＬＥＤ１ｎ，１ｔを配置するようにしてもよい。図において、Ｄ４は低輝度のＬＥＤ１ｑ，１ｒの間隔、Ｄ５は低輝度のＬＥＤ１ｑ（または１ｒ）と中輝度のＬＥＤ１ｐ（または１ｓ）との間隔、Ｄ６は中輝度のＬＥＤ１ｐ（または１ｓ）と高輝度のＬＥＤ１ｎ（または１ｔ）との間隔であり、Ｄ４＜Ｄ５＜Ｄ６である。図示は省略するが、中央部に中輝度のＬＥＤを配置し、中間部に高輝度のＬＥＤを配置し、端部側に低輝度のＬＥＤを配置するようにしてもよい。この場合も、液晶表示パネル３の背面全体での照度が均一になるように、隣り合うＬＥＤの間隔が決められる。
【００２６】
以上述べた実施形態においては、３つの輝度のランクに属するＬＥＤ１を用い、しかも各ランクに属するＬＥＤ１が２つずつである場合について説明したが、２つあるいは４つ以上の輝度のランクに属するＬＥＤを用いても本発明を実施することができる。また、各ランクに属するＬＥＤが１つまたは３つでも本発明を実施することができる。例えば、図４の２つの中間部にそれぞれ２つの中輝度のＬＥＤを配置した場合には、当該ＬＥＤは、間隔Ｄ２よりも狭く、且つ間隔Ｄ３よりも広い間隔で配置される。
【００２７】
また、上記実施形態では、ＬＥＤ１は白色のＬＥＤとしたが、Ｒ，Ｇ，Ｂ各色のＬＥＤを用いる場合でも、上述の方法で各色のＬＥＤを配置することにより本発明を実施することができる。この場合、特許文献２に示されるように各色のＬＥＤを時分割的に点灯させれば、液晶表示パネル３の前面にカラーフィルタ（不図示）を貼り付ける必要がなくなる。さらに、上記実施形態では、液晶表示パネル３が小型である場合について説明したが、テレビジョン受像機やパーソナルコンピュータのモニタ用の大型の液晶表示装置においても本発明を実施することができる。
【００２８】
さらに、上記実施形態では、サイドライト方式の液晶表示装置について説明したが、本発明は直下ライト方式の液晶表示装置にも適用することができる。以下では、本発明を直下ライト方式の液晶表示装置に適用した例について説明する。図６は直下ライト方式の液晶表示装置の構成を示す。この液晶表示装置は、液晶表示パネル３と、液晶表示パネル３の背面側に配置された面状光源装置１０ａとから構成される。面状光源装置１０ａは、拡散板４ａと、拡散板４ａの背面側に配置されたＬＥＤ１を実装したプリント基板７とから構成される。ＬＥＤ１からの光は拡散板４ａで拡散され、この光（バックライト）で液晶表示パネル３の背面全体が照明される。
【００２９】
図７は、上述の画像表示用の液晶表示装置のＬＥＤ１の配置を示すものであり、図６のプリント基板７を上面から見たものである。プリント基板７上には、多数の高輝度（輝度のランクの高い）のＬＥＤ１ｘと低輝度（輝度のランクの低い）のＬＥＤ１ｙとが二次元状に配置されており、中央部に高輝度のＬＥＤ１ｘが取り付けられ、周縁部に低輝度のＬＥＤ１ｙが取り付けられている。また、高輝度のＬＥＤ１ｘ同士の間隔、高輝度のＬＥＤ１ｘと低輝度のＬＥＤ１ｙとの間隔、および低輝度のＬＥＤ１ｙ同士の間隔は互いに略等しくなっており、しかも各ＬＥＤ１ｘ，１ｙには同じ大きさの電流が流れるようにしているので、液晶表示パネル３の画面の中央部では輝度が高く、周縁部に向かうにしたがって輝度が低下していく。すなわち、画像表示用の液晶表示装置において、所望の輝度プロフィールが得られる。
【００３０】
図８は、上述のテキスト表示用の液晶表示装置のＬＥＤ１の配置を示す。プリント基板７上には、多数の高輝度のＬＥＤ１ｘと低輝度のＬＥＤ１ｙとが二次元状に配置されており、中央部に高輝度のＬＥＤ１ｘが取り付けられ、周縁部に低輝度のＬＥＤ１ｙが取り付けられている。ここで、高輝度のＬＥＤ１ｘ同士の間隔は高輝度のＬＥＤ１ｘと低輝度のＬＥＤ１ｙとの間隔よりも大きく、高輝度のＬＥＤ１ｘと低輝度のＬＥＤ１ｙとの間隔は低輝度のＬＥＤ１ｙ同士の間隔よりも大きい。このように、上述の図４と同様の考え方で各ＬＥＤ１ｘ，１ｙが配置されており、しかも各ＬＥＤ１ｘ，１ｙには同じ大きさの電流が流れるようにしているので、液晶表示パネル３の画面全体で輝度が略均一になる。すなわち、テキスト表示用の液晶表示装置において、所望の輝度プロフィールが得られる。図示は省略するが、図５と同様の考え方でＬＥＤを二次元状に配置しても、液晶表示パネル３の画面全体で輝度を略均一にすることができる。
【図面の簡単な説明】
【００３１】
【図１】サイドライト方式の液晶表示装置の構成を示す図である。
【図２】画像表示用の液晶表示装置のＬＥＤの配置を示す図である。
【図３】ＬＥＤの駆動回路の構成例を示す図である。
【図４】テキスト表示用の液晶表示装置のＬＥＤの配置を示す図である。
【図５】テキスト表示用の液晶表示装置のＬＥＤの他の配置を示す図である。
【図６】直下ライト方式の液晶表示装置の構成を示す図である。
【図７】画像表示用の液晶表示装置のＬＥＤの配置を示す図である。
【図８】テキスト表示用の液晶表示装置のＬＥＤの配置を示す図である。
【符号の説明】
【００３２】
１，１ａ〜１ｔ，１ｘ，１ｙ  発光ダイオード（ＬＥＤ）
３    液晶表示パネル
４，４ａ  拡散板
５    導光板
６    反射シート
７    プリント基板
１０，１０ａ  面状光源装置
【図１】
2006267780.tif 000003
【図２】
2006267780.tif 000004
【図３】
2006267780.tif 000005
【図４】
2006267780.tif 000006
【図５】
2006267780.tif 000007
【図６】
2006267780.tif 000008
【図７】
2006267780.tif 000009
【図８】
2006267780.tif 000010